(57)【要約】【課題】発光部が発する熱がベース部材に伝わりにくい照明装置を提供する。【解決手段】照明装置１０は、構造物に取り付けられるベース部材２０と、透光性を有するカバー５０と、発光部３０と、ベース部材２０とカバー５０との間に配置された反射板４０とを備える。反射板４０は、発光部３０が載置される載置面４１、及び、発光部３０が発する光をカバー５０に反射する、載置面４１の周囲に配置された反射面４２を有する。【選択図】図４
2018010813.tif 000002
【特許請求の範囲】
【請求項１】
構造物に取り付けられるベース部材と、
透光性を有するカバーと、
発光部と、
前記ベース部材と前記カバーとの間に配置された反射板とを備え、
前記反射板は、前記発光部が載置される載置面、及び、前記発光部が発する光を前記カバーに反射する、前記載置面の周囲に配置された反射面を有する
照明装置。
【請求項２】
さらに、一方の端部が前記ベース部材に接続され、他方の端部が前記反射板の周縁部に接続された接続部材を備える
請求項１に記載の照明装置。
【請求項３】
前記他方の端部は、前記照明装置の内方に向かって折れ曲がっており、
前記反射板の周縁部には、前記他方の端部が接続される接続部であって、前記他方の端部に対応して前記ベース部材に向かって折れ曲がった接続部が配置される
請求項２に記載の照明装置。
【請求項４】
さらに、
前記反射板を側方から囲む筒体と、
前記反射板の周縁部と、前記筒体とを接続する接続部材とを備える
請求項１に記載の照明装置。
【請求項５】
さらに、前記ベース部材に載置され、前記発光部に電力を供給する蓄電池を備える
請求項１〜４のいずれか１項に記載の照明装置。
【請求項６】
さらに、前記反射板のうち、前記載置面と背向する面に取り付けられるヒートシンクを備える
請求項１〜５のいずれか１項に記載の照明装置。
【発明の詳細な説明】
【技術分野】
【０００１】
本発明は、照明装置に関する。
【背景技術】
【０００２】
近年、ＬＥＤ照明装置が普及しつつある。例えば、特許文献１には、ＬＥＤモジュールが使用された光源装置であって、ヒートパイプによって放熱性が高められた光源装置が開示されている。
【先行技術文献】
【特許文献】
【０００３】
【特許文献１】特開２０１４−７５３１１号公報
【発明の概要】
【発明が解決しようとする課題】
【０００４】
照明装置においては、発光部（光源）が発する熱が耐熱性の低い部品に伝わりにくい構造が求められる。このような部品が、照明装置のうち構造物に取り付けられる部分であるベース部材に載置される場合、発光部が発する熱がベース部材に伝わりにくいほうがよい。
【０００５】
本発明は、発光部が発する熱がベース部材に伝わりにくい照明装置を提供する。
【課題を解決するための手段】
【０００６】
本発明の一態様に係る照明装置は、構造物に取り付けられるベース部材と、透光性を有するカバーと、発光部と、前記ベース部材と前記カバーとの間に配置された反射板とを備え、前記反射板は、前記発光部が載置される載置面、及び、前記発光部が発する光を前記カバーに反射する、前記載置面の周囲に配置された反射面を有する。
【発明の効果】
【０００７】
本発明によれば、発光部が発する熱がベース部材に伝わりにくい照明装置が実現される。
【図面の簡単な説明】
【０００８】
【図１】図１は、実施の形態に係る照明装置の下方から見た外観斜視図である。
【図２】図２は、実施の形態に係る照明装置の下方から見た分解斜視図である。
【図３】図３は、反射板に取り付けられる構成要素を反射板から取り外した図である。
【図４】図４は、実施の形態に係る照明装置の断面図である。
【図５】図５は、反射板が筒体に接続された照明装置の断面図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略または簡略化される場合がある。
【００１１】
以下の実施の形態の図面においては、Ｚ軸方向は、例えば上下方向（鉛直方向）であり、Ｚ軸＋側は、上側または天井側と記載される場合がある。また、Ｚ軸−側は、下側または光出射側と記載される場合がある。また、Ｘ軸方向及びＹ軸方向は、Ｚ軸に垂直な平面（水平面）上において、互いに直交する方向である。また、以下の実施の形態において、平面視とは、Ｚ軸方向から見ることを意味する。
【００１２】
（実施の形態）
まず、実施の形態に係る照明装置の構成について詳細に説明する。図１は、実施の形態に係る照明装置の下方から見た外観斜視図である。図２は、実施の形態に係る照明装置の下方から見た分解斜視図である。図３は、実施の形態に係る照明装置が備える反射板に取り付けられる構成要素を反射板から取り外した図である。図４は、実施の形態に係る照明装置の断面図である。
【００１３】
図１〜図４に示されるように、照明装置１０は、ベース部材２０と、発光部３０と、ヒートシンク３５と、反射板４０と、カバー５０と、筒体６０と、シール部材７０と、カバー保持具７５と、蓄電池８０と、電源回路ユニット９０とを備える。また、照明装置１０は、接続部材２１と、板ばね２２とを備える。
【００１４】
照明装置１０は、例えば、マンションの共用部などの半屋外空間で使用される、防災用（非常用）の照明装置である。照明装置１０は、具体的には、シーリングライトとして天井に取り付けられるが、ブラケットライトとして壁面に取り付けられてもよい。照明装置１０の用途は特に限定されない。照明装置１０の平面視形状は、円形である。
【００１５】
ベース部材２０は、天井または壁面などの構造物に取り付けられる部材であり、言い換えれば、取付台である。ベース部材２０は、平面視形状が円形の平板状のベース部２０ａと、当該ベース部２０ａの周縁に沿って下側に立設した側壁部２０ｂとを含む。
【００１６】
ベース部２０ａには、ベース部材２０を構造物に取り付けるための取付構造（開口）が設けられている。なお、以下の実施の形態では、ベース部材２０（照明装置１０）は、天井に取り付けられるものとして説明が行われる。
【００１７】
ベース部２０ａには、接続部材２１が２つ取り付けられる。接続部材２１は、一方の端部（上側の端部）がベース部材２０に接続され、他方の端部（下側の端部）が反射板４０が有する接続部４３に接続される部材である。接続部材２１は、言い換えれば、反射板４０をベース部材２０に取り付けるための部材である。接続部材２１は、コの字状（Ｕ字状、ブラケット状）に折り曲げられた板材である。接続部材２１は、具体的には、亜鉛めっきされた鋼板によって形成されるが、どのような材料で形成されてもよい。
【００１８】
接続部材２１の一方の端部は、照明装置１０の内側に向かって直角に折れ曲がっており、ベース部２０ａにネジ止めされる。接続部材２１の他方の端部は、照明装置１０の内側に向かって直角に折れ曲がっている。接続部材２１の他方の端部が折れ曲がることにより略水平になった部分には、反射板４０が載置される。載置された反射板４０は、接続部材２１に取り付けられた板ばね２２によって保持される。
【００１９】
なお、接続部材２１は、ベース部２０ａとは別体であるが、ベース部２０ａと一体形成されてもよい。この場合、接続部材２１は、ベース部２０ａの一部としてアルミダイカストによって形成される。
【００２０】
ベース部材２０は、例えば、アルミダイカストによって形成されるが、その他の金属、または樹脂によって形成されてもよい。ベース部材２０のベース部の下面には、蓄電池８０及び電源回路ユニット９０が載置される。
【００２１】
蓄電池８０は、発光部３０に電力を供給する電源である。蓄電池８０は、例えば、外部からの交流電力の供給が停止されたときに、非常用の電源として使用される。蓄電池８０は、例えば、ニッケル水素電池である。蓄電池８０は、充電及び放電が可能な蓄電池であればよく、リチウムイオン電池または鉛蓄電池等であってもよい。蓄電池８０は、蓄電池カバー８１によって下方から覆われる。蓄電池カバー８１は、例えば、アルミダイカストによって形成されるが、樹脂によって形成されてもよい。
【００２２】
電源回路ユニット９０は、照明装置１０の外部から供給される交流電力を直流電力に変換して発光部３０に供給する。交流電力は、具体的には、端子台（図示せず）に差し込まれた電線を介して外部交流電源から供給される。電源回路ユニット９０は、具体的には、基板に回路部品が実装されることにより形成された電源回路と、樹脂製のカバーとを有する。電源回路は、整流回路及びインバータ回路などを含む。電源回路ユニット９０は、例えば、ベース部２０ａの下面に載置された状態でベース部２０ａにネジ止めされる。
【００２３】
また、電源回路には、蓄電池８０を充電する充電回路が含まれる。充電回路は、照明装置１０の外部から供給される交流電力を蓄電池８０の充電に適した直流電力に変換し、直流電力によって蓄電池８０を充電する。実施の形態では、照明装置１０においては、停電時などの非常時においても照明装置１０の使用が可能なように蓄電池８０はトリクル充電される。
【００２４】
また、電源回路には、外部からの交流電力の供給の停止（停電）を検出する検出回路、及び、蓄電池８０を放電する放電回路も含まれる。検出回路によって停電が検出されると、放電回路は、蓄電池８０を放電させる。この結果、蓄電池８０は、発光部３０に直流電力を供給する。これにより、照明装置１０は、停電時も発光を継続することができる。
【００２５】
発光部３０は、照明装置１０の光源として機能する。発光部３０は、具体的には、基板上に直接実装されたＬＥＤチップが、蛍光体を含有する透光性樹脂によって封止されたＣＯＢ（Ｃｈｉｐ  Ｏｎ  Ｂｏａｒｄ）型の発光モジュールである。発光部３０は、円形の発光領域を有する。実施の形態では、発光部３０は、配光を制御するためのレンズ、及び、発光部３０を反射板４０にネジ止めするためのホルダーを含む。発光部３０は、例えば、白色光を主として下方に向けて発する。つまり、発光部３０は、白色光をカバー５０に向けて発する。
【００２６】
発光部３０は、カバー５０と反射板４０との間に配置される。発光部３０は、具体的には、反射板４０の載置面４１に載置され、載置面４１にねじ止めされる。なお、図示されないが、発光部３０は、蓄電池８０及び電源回路ユニット９０（電源回路）とリード線などによって電気的に接続される。
【００２７】
反射板４０は、発光部３０が発する光をカバー５０に向けて反射する光学部材である。反射板４０は、発光部３０の光軸方向（Ｚ軸方向）において、ベース部材２０とカバー５０との間に配置される。図４に示されるように、反射板４０とベース部材２０との間、及び、反射板４０とカバー５０との間のそれぞれには、空隙（空気層）が配置される。つまり、反射板４０は、ベース部材２０及びカバー５０のいずれの部材とも直接接触しない。
【００２８】
反射板４０は、上方（ベース部材２０）に向かうほど縮径する略漏斗状である。反射板４０は、例えば、アルミニウムによって形成されるが、その他の金属または樹脂によって形成されてもよい。図３に示されるように、反射板４０は、当該反射板４０の下側に、載置面４１及び反射面４２を有する。
【００２９】
載置面４１は、反射板４０の中心部に位置し、発光部３０が載置される平面である。載置面４１は、発光部３０の光軸と垂直な平面であり、反射板４０のうちカバー５０側（下側）の面（カバー５０と対向する面）の一部である。載置面４１の平面視形状は、円形である。発光部３０は、載置面４１に載置されることにより、カバー５０と反射板４０との間に位置する。なお、発光部３０と載置面４１との間には、放熱シートなどの放熱部材が配置されてもよい。
【００３０】
反射板４０のうち載置面４１の反対側の面、つまり、載置面４１と背向する面には、ヒートシンク３５が配置される。載置面４１と背向する面は、反射板４０のうちベース部材２０側（上側）の面（ベース部材２０と対向する面）の一部である。ヒートシンク３５は、複数のフィンを有する。ヒートシンク３５によれば、発光部３０が発光中に発する熱を当該ヒートシンク３５に逃がすことができる。ヒートシンク３５は、例えば、アルミダイカストによって形成されるが、その他の金属によって形成されてもよい。図４に示されるように、ヒートシンク３５は、ベース部材２０に接触しない。ヒートシンク３５とベース部材２０との間には空隙（空気層）が配置される。
【００３１】
反射面４２は、載置面４１の周囲を囲むように載置面４１と連続的に形成された面であり、発光部３０が発する光の一部をカバー５０に向けて反射する。反射面４２は、反射板４０のうちカバー５０側（下側）の面（カバー５０と対向する面）の一部である。反射面４２は、テーパ面であるが、反射面４２は、径方向において一部または全部が湾曲していてもよい。なお、反射面４２には、高反射塗装が行われるとよい。
【００３２】
反射板４０の周縁部（Ｙ軸方向の両端部のそれぞれ）には、接続部４３が配置される。接続部４３は、接続部材２１の他方の端部に対応してベース部材２０に向かって直角に折れ曲がっている。このように、接続部４３が、接続部材２１の他方の端部に対応して折れ曲がっていることにより、反射板４０の取り付け位置が接続部材２１の他方の端部であることを照明装置１０の設置作業者に認識させることができる。
【００３３】
図４に示されるように、反射板４０は、接続部材２１の他方の端部に形成された角部に、反射板４０の接続部４３によって形成された角部が沿うように、接続部材２１の他方の端部に上方から載置される。載置された反射板４０は、接続部４３に形成された開口に接続部材２１に取り付けられた板ばね２２の突起が嵌まることによって保持される。
【００３４】
カバー５０は、下方に向かって突出した略円形ドーム状の光学部材（グローブ）である。カバー５０は、例えば、白色または乳白色であり、透光性を有する。
【００３５】
カバー５０は、筒体６０の下側の開口を塞ぐように当該筒体６０に取り付けられる。カバー５０は、具体的には、外側に向かって鍔状にせり出したカバー５０の縁が、カバー保持具７５の下面と筒体６０の鍔部６１の上面との間に挟み込まれることによって、筒体６０に取り付けられる。
【００３６】
カバー５０は、例えば、ガラスによって形成されるが、シリコーン樹脂、アクリル樹脂、または、ポリカーボネート樹脂によって形成されてもよい。また、カバー５０は、表面にシルク印刷が行われることによって光拡散性を有してもよい。また、カバー５０は、シリカまたは炭酸カルシウムなどの光拡散材（微粒子）を含有することにより光拡散性を有してもよい。
【００３７】
シール部材７０は、いわゆるオーリングであり、筒体６０の鍔部６１の上面とカバー５０の縁の下面との間に挟まることにより、筒体６０とカバー５０との隙間を塞ぐ。これにより、筒体６０とカバー５０との隙間が密閉される。これにより、照明装置１０の密閉性が高められる。シール部材７０は、例えば、弾性を有する円環状の樹脂部材（ゴム、エラストマーなど）により形成される。
【００３８】
カバー保持具７５は、カバー５０を筒体６０に取り付けるための円環状の部材である。カバー保持具７５は、筒体６０の鍔部６１に上面側からネジ止めされる。ネジ止めされたカバー保持具７５の下面と、鍔部６１の上面との間には、シール部材７０及びカバー５０の縁が挟み込まれる。つまり、カバー５０は、カバー保持具７５によって筒体６０に取り付けられる。カバー保持具７５は、具体的には、亜鉛めっきされた鋼板によって形成されるが、どのような材料で形成されてもよい。
【００３９】
筒体６０は、発光部３０、ヒートシンク３５、反射板４０、及び、接続部材２１などを側方から囲む筒状筐体である。筒体６０は、円筒状である。筒体６０は、ベース部材２０及びカバー５０とともに、照明装置１０の外郭筐体を構成する。筒体６０は、外郭筐体の側壁部分に相当する。なお、図４に示されるように、筒体６０は、接続部材２１には接触しない。筒体６０と接続部材２１との間には空隙（空気層）が配置される。
【００４０】
筒体６０の下端部には、中心側に向かって鍔状にせり出した鍔部６１が配置される。筒体６０の下側の開口は、カバー５０によって塞がれ、筒体６０の上側の開口は、ベース部材２０によって塞がれる。筒体６０は、上側の開口にベース部材２０が配置された状態で回動されることにより、ベース部材２０に接続される。筒体６０は、例えば、アルミニウムによって形成されるが、その他の金属、または、樹脂によって形成されてもよい。
【００４１】
［効果等］
以上説明したように、照明装置１０は、構造物に取り付けられるベース部材２０と、透光性を有するカバー５０と、発光部３０と、ベース部材２０とカバー５０との間に配置された反射板４０とを備える。反射板４０は、発光部３０が載置される載置面４１、及び、発光部３０が発する光をカバー５０に反射する、載置面４１の周囲に配置された反射面４２を有する。
【００４２】
このように発光部３０が反射板４０の載置面４１に載置される構造によれば、発光部３０がベース部材２０に載置される構造よりも、発光部３０が発する熱がベース部材２０に伝わりにくい効果が得られる。
【００４３】
また、照明装置１０は、さらに、一方の端部がベース部材２０に接続され、他方の端部が反射板４０の周縁部に接続された接続部材２１を備える。
【００４４】
このように、反射板４０が接続部材２１によってベース部材２０に接続されれば、発光部３０が発する熱は、反射板４０、接続部材２１、ベース部材２０の順に伝わる。したがって、発光部３０がベース部材２０に載置される構造よりも、発光部３０が発する熱がベース部材２０に伝わりにくい効果が得られる。
【００４５】
また、他方の端部は、照明装置１０の内方に向かって折れ曲がっており、反射板４０の周縁部には、他方の端部が接続される接続部４３であって、他方の端部に対応してベース部材２０に向かって折れ曲がった接続部４３が配置されてもよい。
【００４６】
これにより、反射板４０の取り付け位置が接続部材２１の他方の端部であることを照明装置１０の設置作業者に認識させることができる。
【００４７】
また、照明装置１０は、さらに、ベース部材２０に載置され、発光部３０に電力を供給する蓄電池８０を備えてもよい。
【００４８】
これにより、発光部３０が発する熱がベース部材２０に載置された蓄電池８０に伝わりにくい効果が得られる。また、発光部３０を蓄電池８０が供給する電力により発光させることができるため、停電時にも照明装置１０を発光させることができる。
【００４９】
また、照明装置１０は、さらに、反射板４０のうち、載置面４１と背向する面に取り付けられるヒートシンクを備えてもよい。
【００５０】
これにより、発光部３０が発する熱をヒートシンク３５に逃がすことができる。したがって、発光部３０が発する熱がベース部材２０に伝わりにくい効果が得られる。
【００５１】
［変形例］
上記実施の形態では、反射板４０は、接続部材２１によってベース部材２０に接続されたが、反射板４０は、筒体６０に接続されてもよい。図５は、反射板が筒体に接続された照明装置の断面図である。なお、以下の図５の説明では、照明装置１０との相違点を中心に説明が行われ、照明装置１０と実質的に同一の内容については説明が省略される。
【００５２】
図５に示される照明装置１０ａにおいては、反射板４０の接続部４３は、接続部材４４によって筒体６０の内側面に接続される。接続部材４４は、例えば、ネジであるが、接続部材２１のようなブラケット（金具）であってもよい。
【００５３】
このように、照明装置１０ａは、反射板４０を側方から囲む筒体６０と、反射板４０の周縁部と、筒体６０とを接続する接続部材４４とを備えてもよい。
【００５４】
これにより、発光部３０が発する熱は、反射板４０、筒体６０、ベース部材２０の順に伝わる。したがって、発光部３０がベース部材２０に載置される構造よりも、発光部３０が発する熱がベース部材２０に伝わりにくい効果が得られる。
【００５５】
（その他の実施の形態）
以上、実施の形態に係る照明装置について説明したが、本発明は、このような実施の形態に限定されるものではない。
【００５６】
上記実施の形態で説明された照明装置の形状は、一例である。例えば、上記実施の形態では、照明装置の平面視形状は、円形であったが、照明装置の平面視形状は、矩形などの多角形であってもよい。
【００５７】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が用いられてもよい。
【００５８】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００５９】
１０、１０ａ  照明装置
２０  ベース部材
２１、４４  接続部材
３０  発光部
３５  ヒートシンク
４０  反射板
４１  載置面
４２  反射面
４３  接続部
５０  カバー
６０  筒体
８０  蓄電池
【図１】
2018010813.tif 000003
【図２】
2018010813.tif 000004
【図３】
2018010813.tif 000005
【図４】
2018010813.tif 000006
【図５】
2018010813.tif 000007